(57)【特許請求の範囲】
【請求項１】
移動端末に無線リソースを割り当てる際に、前記移動端末の最良な特性が得られる周波数における必要なリソース割当単位数と、前記移動端末の全帯域における必要なリソース割当単位数とに基づいて、最良な特性が得られる周波数のブロック割当領域の無線リソースを優先的に割り当てるか、それとも分散割当領域の無線リソースを優先的に割り当てるかの優先度を判定する割当優先度判定部を備え、
前記割当優先度判定部は、前記移動端末の最良な特性が得られる周波数における送信リソース割当単位数と、前記移動端末の全帯域における送信リソース割当単位数とが等しい場合は、分散割当領域の無線リソースを優先的に割り当てることを決定し、前記移動端末の最良な特性が得られる周波数における送信リソース割当単位数と、前記移動端末の全帯域における送信リソース割当単位数とが等しくない場合は、最良な特性が得られる周波数のブロック割当領域の無線リソースを優先的に割り当てることを決定する、ことを特徴とする割当優先度判定装置。
【請求項２】
前記移動端末宛の送信データ量と最良な特性が得られる周波数における変調方式及び符号化率から、前記移動端末の最良な特性が得られる周波数における必要なリソース割当単位数を計算し、前記移動端末宛の送信データ量と全帯域における変調方式及び符号化率から、前記移動端末の全帯域における必要なリソース割当単位数を計算する送信ＢＮ数計算部を備えたことを特徴とする請求項１に記載の割当優先度判定装置。
【請求項３】
移動端末に無線リソースを割り当てる際に、前記移動端末の最良な特性が得られる周波数における特性と、前記移動端末の全帯域における特性とに基づいて、最良な特性が得られる周波数のブロック割当領域の無線リソースを優先的に割り当てるか、それとも分散割当領域の無線リソースを優先的に割り当てるかの優先度を判定する割当優先度判定部を備え、
前記割当優先度判定部は、前記移動端末の最良な特性が得られる周波数における特性と、前記移動端末の全帯域における特性とが等しい場合、分散割当領域の無線リソースを優先的に割り当てることを決定し、前記移動端末の最良な特性が得られる周波数における特性と、前記移動端末の全帯域における特性とが等しくない場合、最良な特性が得られる周波数のブロック割当領域の無線リソースを優先的に割り当てることを決定する、ことを特徴とする割当優先度判定装置。
【請求項４】
請求項１または２または３に記載の割当優先度判定装置と、
前記割当優先度判定装置において判定された優先度を基に、移動端末に無線リソースを割り当てる割当部と、
を備えたことを特徴とする無線リソース割当装置。
【請求項５】
移動端末に無線リソースを割り当てる際に、前記移動端末の最良な特性が得られる周波数における必要なリソース割当単位数と、当該移動端末の全帯域における必要なリソース割当単位数とに基づいて、最良な特性が得られる周波数のブロック割当領域の無線リソースを優先的に割り当てるか、それとも分散割当領域の無線リソースを優先的に割り当てるかの優先度を判定し、これに際して、前記移動端末の最良な特性が得られる周波数における送信リソース割当単位数と、前記移動端末の全帯域における送信リソース割当単位数とが等しい場合は、分散割当領域の無線リソースを優先的に割り当てることを決定し、前記移動端末の最良な特性が得られる周波数における送信リソース割当単位数と、前記移動端末の全帯域における送信リソース割当単位数とが等しくない場合は、最良な特性が得られる周波数のブロック割当領域の無線リソースを優先的に割り当てることを決定する割当優先度判定ステップを含むことを特徴とする割当優先度判定方法。
【請求項６】
移動端末に無線リソースを割り当てる際に、前記移動端末の最良な特性が得られる周波数における必要なリソース割当単位数と、当該移動端末の全帯域における必要なリソース割当単位数とに基づいて、最良な特性が得られる周波数のブロック割当領域の無線リソースを優先的に割り当てるか、それとも分散割当領域の無線リソースを優先的に割り当てるかの優先度を判定し、これに際して、前記移動端末の最良な特性が得られる周波数における送信リソース割当単位数と、前記移動端末の全帯域における送信リソース割当単位数とが等しい場合は、分散割当領域の無線リソースを優先的に割り当てることを決定し、前記移動端末の最良な特性が得られる周波数における送信リソース割当単位数と、前記移動端末の全帯域における送信リソース割当単位数とが等しくない場合は、最良な特性が得られる周波数のブロック割当領域の無線リソースを優先的に割り当てることを決定する割当優先度判定ステップをコンピュータに実行させるためのコンピュータプログラム。
【請求項７】
前記移動端末宛の送信データ量と最良な特性が得られる周波数における変調方式及び符号化率から、前記移動端末の最良な特性が得られる周波数における必要なリソース割当単位数を計算し、前記移動端末宛の送信データ量と全帯域における変調方式及び符号化率から、前記移動端末の全帯域における必要なリソース割当単位数を計算する送信ＢＮ数計算ステップを含むことを特徴とする請求項５に記載の割当優先度判定方法。
【請求項８】
前記移動端末宛の送信データ量と最良な特性が得られる周波数における変調方式及び符号化率から、前記移動端末の最良な特性が得られる周波数における必要なリソース割当単位数を計算し、前記移動端末宛の送信データ量と全帯域における変調方式及び符号化率から、前記移動端末の全帯域における必要なリソース割当単位数を計算する送信ＢＮ数計算ステップを含むことを特徴とする請求項６に記載のコンピュータプログラム。
【請求項９】
移動端末に無線リソースを割り当てる際に、前記移動端末の最良な特性が得られる周波数における特性と、当該移動端末の全帯域における特性とに基づいて、最良な特性が得られる周波数のブロック割当領域の無線リソースを優先的に割り当てるか、それとも分散割当領域の無線リソースを優先的に割り当てるかの優先度を判定し、これに際して、前記移動端末の最良な特性が得られる周波数における特性と、前記移動端末の全帯域における特性とが等しい場合、分散割当領域の無線リソースを優先的に割り当てることを決定し、前記移動端末の最良な特性が得られる周波数における特性と、前記移動端末の全帯域における特性とが等しくない場合、最良な特性が得られる周波数のブロック割当領域の無線リソースを優先的に割り当てることを決定する割当優先度判定ステップを含むことを特徴とする割当優先度判定方法。
【請求項１０】
移動端末に無線リソースを割り当てる際に、前記移動端末の最良な特性が得られる周波数における特性と、当該移動端末の全帯域における特性とに基づいて、最良な特性が得られる周波数のブロック割当領域の無線リソースを優先的に割り当てるか、それとも分散割当領域の無線リソースを優先的に割り当てるかの優先度を判定し、これに際して、前記移動端末の最良な特性が得られる周波数における特性と、前記移動端末の全帯域における特性とが等しい場合、分散割当領域の無線リソースを優先的に割り当てることを決定し、前記移動端末の最良な特性が得られる周波数における特性と、前記移動端末の全帯域における特性とが等しくない場合、最良な特性が得られる周波数のブロック割当領域の無線リソースを優先的に割り当てることを決定する割当優先度判定ステップをコンピュータに実行させるためのコンピュータプログラム。
【発明の詳細な説明】
【技術分野】
【０００１】
本発明は、割当優先度判定装置、無線リソース割当装置、割当優先度判定方法及びコンピュータプログラムに関する。
【背景技術】
【０００２】
近年、第３世代（３Ｇ）移動体通信システムの後継システム（次世代セルラシステム）に関する標準規格の検討が、標準化プロジェクト「３ＧＰＰ：３ｒｄ  Ｇｅｎｅｒａｔｉｏｎ  Ｐａｒｔｎｅｒｓｈｉｐ  Ｐｒｏｊｅｃｔ、３ＧＰＰ２：３ｒｄ  Ｇｅｎｅｒａｔｉｏｎ  Ｐａｒｔｎｅｒｓｈｉｐ  Ｐｒｏｊｅｃｔ  ２」で行われている。次世代セルラシステムでは多重アクセス方式としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ，直交周波数分割多元接続）が利用され、その検討課題の一つに、下りリンク（無線基地局から移動端末へ向かう方向のリンク）の無線リソース割当がある。
【０００３】
図５は、従来の無線リソース配置方法を示す概略図である。非特許文献１に記載された技術では、下りリンクにおいて、ＢＲＣＨ（Ｂｌｏｃｋ  Ｒｅｓｏｕｒｃｅ  Ｃｈａｎｎｅｌ）、ＤＲＣＨ（Ｄｉｓｔｒｉｂｕｔｅｄ  Ｒｅｓｏｕｒｃｅ  Ｃｈａｎｎｅｌ）と呼ばれる無線リソース配置方法が採用されている。１６サブキャリア×８ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交波周波数分割多重）シンボルを各移動端末宛の無線リソースの割当単位（ＢｅｓｅＮｏｄｅ：ＢＮ）とし、ＢＲＣＨは１ＢＮを連続した無線リソースに対して割り当てるのに対し、ＤＲＣＨは１ＢＮを分散させて割り当てる。ＢＲＣＨはある移動端末にとって最良な周波数帯域を割り当てることができれば大変良い特性が得られる配置方法である。また、ＤＲＣＨは周波数帯を分散させることによって通信の安定性を向上させる周波数ダイバーシチ効果のある配置方法である。
【０００４】
また、これらＢＲＣＨ、ＤＲＣＨの無線リソースの配置として、「Ｍｕｌｔｉｐｌｅｘｉｎｇ  Ｍｏｄｅ  １」と「Ｍｕｌｔｉｐｌｅｘｉｎｇ  Ｍｏｄｅ  ２」が採用されている。「Ｍｕｌｔｉｐｌｅｘｉｎｇ  Ｍｏｄｅ  １」では、ＢＲＣＨ領域の中にＤＲＣＨとして割り当てられた無線リソースが埋め込まれている。図５に示す例では、「ＤＲＣＨ  Ｓｔｒｕｃｔｕｒｅｓ」と示されたセルがＤＲＣＨの無線リソースであり、「ＢＲＣＨ  Ｓｔｒｕｃｔｕｒｅｓ」と示されたセルがＢＲＣＨの無線リソースである。また、「Ｍｕｌｔｉｐｌｅｘｉｎｇ  Ｍｏｄｅ  ２」では、ＢＲＣＨとして割り当てられる領域（図５（ｂ）中の「ＢＲＣＨ  ｚｏｎｅ」と示された領域）とＤＲＣＨとして割り当てられる領域（図５（ｂ）中の「ＤＲＣＨ  ｚｏｎｅ」と示された領域）が分かれている。これらの無線リソース配置方法は、オペレータによって選択が可能である。なお、各移動端末へ無線リソースを割り当てる際には、ＢＲＣＨとＤＲＣＨの配置は決定されており、区画化された無線リソース領域に各移動端末への無線リソースを割り当てなければならない。
【０００５】
また、非特許文献１では０から１５の１６種類のＰＦ（Ｐａｃｋｅｔ  Ｆｏｒｍａｔ）を伝搬路状況に応じて利用することを想定している。ＰＦとは、通信データの変調方式と符号化率とを再送回数ごとにＭＡＣ層（Ｍｅｄｉａ  Ａｃｃｅｓｓ  Ｃｏｎｔｒｏｌ  ｌａｙｅｒ）で定めたものである。
【０００６】
非特許文献２記載の従来技術では、移動端末に無線リソースを割り当てる際に必要な情報の一部は各移動端末から通知される。各移動端末は、下りリンクの伝搬路特性を調べ、データチャネルに利用される全帯域の平均的な特性と最良なサブバンドにおける特性を基地局に通知する。ここで、サブバンドとは、複数のサブキャリアを含む周波数帯域のことである。
【非特許文献１】3GPP2, C.S0084-001-0 v2.0, “Physical Layer for Ultra Mobile Broadband (UMB) Air Interface Specification,” September 2007
【非特許文献２】3GPP2, C.S0084-002-0 v2.0, “Medium Access Control Layer for Ultra Mobile Broadband (UMB) Air Interface Specification,” September 2007
【発明の開示】
【発明が解決しようとする課題】
【０００７】
しかしながら、上述した従来技術では、どのような基準でＢＲＣＨ領域、もしくはＤＲＣＨ領域の無線リソースを移動端末に割り当てるのかの検討が行われていない。これらは、非特許文献１及び２では実装依存の技術とされているが、移動端末の優先度情報をもとに、（１）優先度の高い移動端末から順にＤＲＣＨ領域、ＢＲＣＨ領域の順で割り当てる方法、又は、（２）優先度の高い移動端末から順にＢＲＣＨ領域、ＤＲＣＨ領域の順で割り当てる方法が容易に想定できる。
しかしながら、上記方法（１）の場合、ある移動端末にとっては、ＤＲＣＨ領域の無線リソースを割り当てるよりも、当該移動端末にとって最良なサブバンドのＢＲＣＨ領域の無線リソースを割り当てる方が良好な特性が得られる場合がある、という問題がある。
また、上記方法（２）の場合、ある移動端末に最良なサブバンドのＢＲＣＨ領域の無線リソースを割り当てできない場合、当該移動端末には、最良でないサブバンドのＢＲＣＨ領域の無線リソースを割り当てることとなる。この場合、平均的な周波数帯を取れるＤＲＣＨ領域の無線リソースを割り当てる方が良好な特性が得られる可能性がある、という問題がある。
このように、優先度の高い移動端末が必ずしも優良な無線リソースを割り当てられるわけではない。また、優先度の高い移動端末が優良な無線リソースを割り当てられない場合が発生することにより、システムスループットの低下に繋がる。
本発明は上記の点に鑑みてなされたものであり、その目的は、下りリンクにおける、各移動端末に割り当てる無線リソースを、有効に割り当てることができる割当優先度判定装置、無線リソース割当装置、割当優先度判定方法及びコンピュータプログラムを提供することにある。
【課題を解決するための手段】
【０００８】
本発明は上記の課題を解決するためになされたものであり、本発明の一態様は、移動端末に無線リソースを割り当てる際に、前記移動端末の最良な特性が得られる周波数における必要なリソース割当単位数と、前記移動端末の全帯域における必要なリソース割当単位数とに基づいて、最良な特性が得られる周波数のブロック割当領域の無線リソースを優先的に割り当てるか、それとも分散割当領域の無線リソースを優先的に割り当てるかの優先度を判定する割当優先度判定部を備えたことを特徴とする割当優先度判定装置である。
【０００９】
また、本発明の一態様は、上記の割当優先度判定装置において、前記移動端末宛の送信データ量と最良な特性が得られる周波数における変調方式及び符号化率から、前記移動端末の最良な特性が得られる周波数における必要なリソース割当単位数を計算し、前記移動端末宛の送信データ量と全帯域における変調方式及び符号化率から、前記移動端末の全帯域における必要なリソース割当単位数を計算する送信ＢＮ数計算部を備えたことを特徴とする。
【００１０】
また、本発明の一態様は、移動端末に無線リソースを割り当てる際に、前記移動端末の最良な特性が得られる周波数における特性と、前記移動端末の全帯域における特性とに基づいて、最良な特性が得られる周波数のブロック割当領域の無線リソースを優先的に割り当てるか、それとも分散割当領域の無線リソースを優先的に割り当てるかの優先度を判定する割当優先度判定部を備えたことを特徴とする割当優先度判定装置である。
【００１１】
また、本発明の一態様は、上記に記載の割当優先度判定装置と、前記割当優先度判定装置において判定された優先度を基に、移動端末に無線リソースを割り当てる割当部と、を備えたことを特徴とする無線リソース割当装置である。
【００１２】
また、本発明の一態様は、移動端末に無線リソースを割り当てる際に、前記移動端末の最良な特性が得られる周波数における必要なリソース割当単位数と、当該移動端末の全帯域における必要なリソース割当単位数とに基づいて、最良な特性が得られる周波数のブロック割当領域の無線リソースを優先的に割り当てるか、それとも分散割当領域の無線リソースを優先的に割り当てるかの優先度を判定する割当優先度判定ステップを含むことを特徴とする割当優先度判定方法である。
【００１３】
また、本発明の一態様は、移動端末に無線リソースを割り当てる際に、前記移動端末の最良な特性が得られる周波数における必要なリソース割当単位数と、当該移動端末の全帯域における必要なリソース割当単位数とに基づいて、最良な特性が得られる周波数のブロック割当領域の無線リソースを優先的に割り当てるか、それとも分散割当領域の無線リソースを優先的に割り当てるかの優先度を判定する割当優先度判定ステップをコンピュータに実行させるためのコンピュータプログラムである。
【００１４】
また、本発明の一態様は、上記の優先度割当方法において、前記移動端末宛の送信データ量と最良な特性が得られる周波数における変調方式及び符号化率から、前記移動端末の最良な特性が得られる周波数における必要なリソース割当単位数を計算し、前記移動端末宛の送信データ量と全帯域における変調方式及び符号化率から、前記移動端末の全帯域における必要なリソース割当単位数を計算する送信ＢＮ数計算ステップを含むことを特徴とする。
【００１５】
また、本発明の一態様は、上記のコンピュータプログラムにおいて、前記移動端末宛の送信データ量と最良な特性が得られる周波数における変調方式及び符号化率から、前記移動端末の最良な特性が得られる周波数における必要なリソース割当単位数を計算し、前記移動端末宛の送信データ量と全帯域における変調方式及び符号化率から、前記移動端末の全帯域における必要なリソース割当単位数を計算する送信ＢＮ数計算ステップを含むことを特徴とする。
【００１６】
また、本発明の一態様は、移動端末に無線リソースを割り当てる際に、前記移動端末の最良な特性が得られる周波数における特性と、当該移動端末の全帯域における特性とに基づいて、最良な特性が得られる周波数のブロック割当領域の無線リソースを優先的に割り当てるか、それとも分散割当領域の無線リソースを優先的に割り当てるかの優先度を判定する割当優先度判定ステップを含むことを特徴とする割当優先度判定方法である。
【００１７】
また、本発明の一態様は、移動端末に無線リソースを割り当てる際に、前記移動端末の最良な特性が得られる周波数における特性と、最良な特性が得られる周波数のブロック割当領域の無線リソースを優先的に割り当てるか、それとも分散割当領域の無線リソースを優先的に割り当てるかの優先度を判定する割当優先度判定ステップをコンピュータに実行させるためのコンピュータプログラムである。
【発明の効果】
【００１８】
本発明によれば、必要なリソース割当単位の数に基づいて、移動端末に、最良な特性が得られる周波数のブロック割当領域の無線リソースを優先的に割り当てるか、それとも分散割当領域の無線リソースを優先的に割り当てるかを判定するので多くの移動端末に最良な周波数を割り当てることができる。これにより、通信品質の向上、システム容量（一つの基地局に同時に接続することのできる移動端末の数)の増大を図ることが可能になる。
【発明を実施するための最良の形態】
【００１９】
以下、図面を参照しながら本発明の実施形態について詳しく説明する。
図１は、本発明の第１の実施形態による無線リソース割当装置１０の構成を示すブロック図である。本実施形態における無線リソース割当装置１０は、割当優先度判定装置１０Ａと、割当部１３と、を含んで構成される。無線リソース割当装置１０は、各移動端末宛の送信データ量と、各移動端末の最良なサブバンドにおけるＰＦ（Ｐａｃｋｅｔ  Ｆｒｏｍａｔ）情報と、各移動端末の全帯域におけるＰＦ情報と、に基づいて、各移動端末へ、ＯＦＤＭＡ方式の下りリンク（無線基地局から移動端末へ向かう方向のリンク）における無線リソースの割り当てを行う。ＰＦとは、通信データの変調方式と符号化率とを再送回数ごとにＭＡＣ層で定めたものである。なお、本実施形態におけるＰＦは、各移動端末から通知されたものであるが、無線リソース割当装置１０があらかじめ保持しているものを使用してもよい。
【００２０】
割当優先度判定装置１０Ａは、送信ＢＮ数計算部１１と、割当優先度判定部１２と、を含んで構成される。
送信ＢＮ数計算部１１は、ある移動端末宛の送信データ量と、その移動端末の最良なサブバンドにおけるＰＦ情報とを基に、最良なサブバンドのＢＲＣＨ領域の無線リソースをその移動端末に割り当てた場合の送信ＢＮ数（以下、最良なサブバンドの送信ＢＮ数を呼ぶ）を算出する。また、送信ＢＮ数計算部１１は、その移動端末宛の送信データ量と、その移動端末の全帯域におけるＰＦ情報とを基に、その移動端末に全帯域の無線リソースを平均的に割り当てた場合の送信ＢＮ数（以下、全帯域の送信ＢＮ数と呼ぶ）を算出する。次に、送信ＢＮ数計算部１１は、算出した最良なサブバンドの送信ＢＮ数と全帯域の送信ＢＮ数を割当優先度判定部１２に出力する。ここで、送信ＢＮ数とは、移動端末宛の送信データ量を送信する際に必要となるＢＮ数である。ＢＮとは、無線リソース割当単位である。
【００２１】
割当優先度判定部１２は、最良なサブバンドの送信ＢＮ数と、全帯域の送信ＢＮ数とに基づいて、最良なサブバンドのＢＲＣＨ領域の無線リソースを優先的に割り当てるか、それともＤＲＣＨ領域の無線リソースを優先的に割り当てるかを決定し、その結果を割当部１３に出力する。
具体的には、最良なサブバンドの送信ＢＮ数と、全帯域の送信ＢＮ数とが等しい場合は、ＤＲＣＨ領域の無線リソースを優先的に割り当てることを決定する。また、最良なサブバンドの送信ＢＮ数と、全帯域の送信ＢＮ数とが等しくない場合は、最良なサブバンドのＢＲＣＨ領域の無線リソースを優先的に割り当てることを決定する。
その理由は、その移動端末にとって最良なサブバンドが、他の移動端末にとっても最良なサブバンドになる可能性があるため、最良なサブバンド、全帯域のいずれを利用しても送信ＢＮ数が等しい場合には、他の移動端末にその最良なサブバンドの無線リソースを割り当てた方が無線リソースをより有効活用できる可能性があるためである。
なお、言うまでもないが、一般的に最良なサブバンドにおける特性は、全帯域における特性と同等以上の特性が得られる。よって最良なサブバンドの送信ＢＮ数は常に全帯域の送信ＢＮ数以下である。
【００２２】
割当部１３は、割当優先度判定部１２において判定された優先度と、最良なサブバンドの送信ＢＮ数と、全帯域の送信ＢＮ数とを基にその移動端末に無線リソースを割り当る。
【００２３】
図２は、本実施形態の無線リソース割当装置１０における処理の流れの一例を表すフローチャートである。
まず、無線リソース割当装置１０は、優先度の最も高い移動端末を選択する（ステップＳ１０１）。次に、無線リソース割当装置１０は、選択した移動端末の最良なサブバンドの送信ＢＮ数と、全帯域の送信ＢＮ数とを算出し（ステップＳ１０２）、最良なサブバンドの送信ＢＮ数と全帯域の送信ＢＮ数が等しいか否かを判定する（ステップＳ１０３）。
【００２４】
等しい場合には（ステップＳ１０３：Ｙｅｓ）、ＤＲＣＨ領域の無線リソースを当該移動端末に割り当て可能か否かを判断する（ステップＳ１０４）。具体的には、全帯域の送信ＢＮ数に対する充分な空きがＤＲＣＨ領域にあれば、割り当て可能と判断する。ＤＲＣＨ領域の無線リソースを割り当て可能な場合、無線リソース割当装置１０は、該当領域の無線リソースをその移動端末に割り当る（ステップＳ１０５）。
【００２５】
ＤＲＣＨ領域の無線リソースを割り当てができない場合、無線リソース割当装置１０は、最良なサブバンドのＢＲＣＨ領域の無線リソースを、選択した移動端末に割り当て可能か否かを判断する（ステップＳ１０６）。具体的には、最良なサブバンドの送信ＢＮ数に対する充分な空きが最良なサブバンドのＢＲＣＨ領域あれば、割り当て可能と判断する。最良なサブバンドのＢＲＣＨ領域の無線リソースを割り当て可能な場合、無線リソース割当装置１０は、該当領域の無線リソースをその移動端末に割り当る（ステップＳ１０７）。
【００２６】
また、送信ＢＮ数が等しくない場合には（ステップＳ１０３：Ｎｏ）、最良なサブバンドのＢＲＣＨ領域の無線リソースを、選択した移動端末に割り当て可能か否かを判断する（ステップＳ１０８）。最良なサブバンドのＢＲＣＨ領域の無線リソースを割り当て可能な場合、無線リソース割当装置１０は、該当領域の無線リソースをその移動端末に割り当る（ステップＳ１０９）。
【００２７】
最良なサブバンドのＢＲＣＨ領域の無線リソースを割り当てができない場合、無線リソース割当装置１０は、ＤＲＣＨ領域の無線リソースを当該移動端末に割り当て可能か否かを判断する（ステップＳ１１０）。ＤＲＣＨ領域の無線リソースを割り当て可能な場合、無線リソース割当装置１０は、該当領域の無線リソースをその移動端末に割り当る（ステップＳ１１１）。
【００２８】
最良なサブバンドのＢＲＣＨ領域の無線リソースまたはＤＲＣＨ領域の無線リソースのいずれも割り当てができない場合には、無線リソース割当装置１０は、最良なサブバンド以外のＢＲＣＨ領域の無線リソースをその移動端末に割り当てる。（ステップＳ１１２）。
【００２９】
次に、無線リソース割当装置１０は、今までに割り当てた無線リソースの合計量（合計無線リソース割当量）を計算する（ステップＳ１１３）。ここで、無線リソース割当装置１０は、どの移動端末にどれだけの無線リソース量を使用しているかを管理している。次に、無線リソース割当装置１０は、計算した合計無線リソース割当量が全無線リソース割当量よりも少ないか否かを判定する（ステップＳ１１４）。ここで、全無線リソース割当量とは、移動端末が通信に使用できるデータチャネルが有する無線リソースの合計量のことである。少ない場合（ステップＳ１１４：Ｙｅｓ）は、次に優先度が高い移動端末選択し（ステップＳ１１５）、上記ステップＳ１０２からＳ１１４までの処理を繰り返す。そうでない場合（ステップＳ１１４：Ｎｏ）には、割り当て処理を終了する。これは、無線リソースがすべて割り当てられたと判断するためである。
【００３０】
なお、合計無線リソース割当計算（上記ステップＳ１１３，Ｓ１１４）は、無線リソース割当（上記ステップＳ１０３）の前に行っても良い。その場合、合計無線リソース割当量が全無線リソース割当量より大きくなった場合、割当可能な範囲で無線リソースを割り当てて、割り当てを終了する。
【００３１】
このように、本実施形態によれば、無線リソース割当装置１０は、移動端末の送信ＢＮ数に基づいて、その移動端末に、最良なサブバンドのＢＲＣＨ領域の無線リソースを優先的に割り当てるか、それともＤＲＣＨ領域の無線リソースを優先的に割り当てるかを決定するので、多くの移動端末に最良なサブバンドを割り当てることができる。これにより、通信品質の向上、システム容量の増大を図ることが可能になる。また、本発明は、特にＶｏＩＰ（Ｖｏｉｃｅ  ｏｖｅｒ  Ｉｎｔｅｒｎｅｔ  Ｐｒｏｔｏｃｏｌ）のような送信データの少ないストリームを利用しているセル中心の移動端末に効果的である。また、「Ｍｕｌｔｉｐｌｅｘｉｎｇ  Ｍｏｄｅ  １」の様にＤＲＣＨ領域とＢＲＣＨ領域が混ざっている場合にも効果的である。
【００３２】
次に、この発明の第２の実施形態による無線リソース割当装置２０について説明する。本実施形態における無線リソース割当装置２０は、割当優先度判定部２２と、割当部２３と、を含んで構成される。無線リソース割当装置２０は、各移動端末宛の送信データ量と、各移動端末の最良なサブバンドにおける特性と、各移動端末の通信に使用するデータチャネルに利用される全帯域の平均的な特性（以下、全帯域における特性と呼ぶ）と、に基づいて、各移動端末へ、ＯＦＤＭＡ方式の下りリンクにおける無線リソースの割り当てを行う。なお、最良なサブバンドにおける特性と全帯域における特性は、各移動端末から通知される。
【００３３】
割当優先度判定部２２は、ある移動端末の最良なサブバンドにおける特性と、その移動端末の全帯域における特性に基づいて、最良なサブバンドのＢＲＣＨ領域の無線リソースを優先的に割り当てるか、それともＤＲＣＨ領域の無線リソースを優先的に割り当てるかを決定し、その結果を割当部１３に出力する。
具体的には、最良なサブバンドにおける特性と、全帯域における特性とが等しい場合、ＤＲＣＨ領域の無線リソースを優先的に割り当てることを決定する。また、最良なサブバンドにおける特性と、全帯域における特性とが等しくない場合、最良なサブバンドのＢＲＣＨ領域の無線リソースを優先的に割り当てることを決定する。
その理由は、その移動端末にとって最良なサブバンドが、他の移動端末にとっても最良なサブバンドになる可能性があるため、最良なサブバンド、全帯域のいずれを利用しても特性が等しい場合には、他の移動端末にその最良なサブバンドの無線リソースを割り当てた方が無線リソースをより有効活用できる可能性があるためである。
なお、言うまでもないが、一般的に最良なサブバンドにおける特性は、全帯域における特性と同等以上の特性が得られため、最良なサブバンドにおける特性が全帯域における特性より悪くなることはない。
【００３４】
割当部２３は、割当優先度判定部１２の結果を基に無線リソースの割当を行う。
【００３５】
図４は、本実施形態の無線リソース割当装置２０における処理の流れの一例を表すフローチャートである。
まず、無線リソース割当装置２０は、優先度の最も高い移動端末を選択する（ステップＳ２０１）。次に、無線リソース割当装置２０は、選択した移動端末の最良なサブバンドにおける特性と、全帯域における特性が等しいか否かを判定する（ステップＳ２０２）。
【００３６】
等しい場合には（ステップＳ２０２：Ｙｅｓ）、無線リソース割当装置２０は、ＤＲＣＨ領域の無線リソースを当該移動端末に割り当て可能か否かを判断する（ステップＳ２０３）。ＤＲＣＨ領域の無線リソースを割り当て可能な場合、無線リソース割当装置２０は、該当領域の無線リソースをその移動端末に割り当る（ステップＳ２０４）。
【００３７】
ＤＲＣＨ領域の無線リソースを割り当てができない場合、無線リソース割当装置２０は、最良なサブバンドのＢＲＣＨ領域の無線リソースを、選択した移動端末に割り当て可能か否かを判断する（ステップＳ２０５）。最良なサブバンドのＢＲＣＨ領域の無線リソースを割り当て可能な場合、無線リソース割当装置２０は、該当領域の無線リソースをその移動端末に割り当る（ステップＳ２０６）。
【００３８】
また、特性が等しくない場合には（ステップＳ２０２：Ｎｏ）、無線リソース割当装置２０は、最良なサブバンドのＢＲＣＨ領域の無線リソースを、選択した移動端末に割り当て可能か否かを判断する（ステップＳ２０７）。最良なサブバンドのＢＲＣＨ領域の無線リソースを割り当て可能な場合、無線リソース割当装置２０は、該当領域の無線リソースをその移動端末に割り当る（ステップＳ２０８）。
【００３９】
最良なサブバンドのＢＲＣＨ領域の無線リソースを割り当てができない場合、無線リソース割当装置２０は、ＤＲＣＨ領域の無線リソースを当該移動端末に割り当て可能か否かを判断する（ステップＳ２０９）。ＤＲＣＨ領域の無線リソースを割り当て可能な場合、無線リソース割当装置２０は、該当領域の無線リソースをその移動端末に割り当る（ステップＳ２１０）。
最良なサブバンドのＢＲＣＨ領域の無線リソースまたはＤＲＣＨ領域の無線リソースのいずれも割り当てができない場合には、無線リソース割当装置１０は、最良なサブバンド以外のＢＲＣＨ領域の無線リソースをその移動端末に割り当てる。（ステップＳ２１１）。
【００４０】
次に、無線リソース割当装置２０は、今までに割り当てた無線リソースの合計量（合計無線リソース割当量）を計算する（ステップＳ２１２）。ここで、無線リソース割当装置２０は、どの移動端末にどれだけの無線リソース量を使用しているかを管理している。次に、無線リソース割当装置２０は、計算した合計無線リソース割当量が全無線リソース割当量よりも少ないか否かを判定する（ステップＳ２１３）。ここで、全無線リソース割当量とは、移動端末が通信に使用できるデータチャネルが有する無線リソースの合計量のことである。少ない場合（ステップＳ２１３：Ｙｅｓ）は、次に優先度が高い移動端末選択し（ステップＳ２１４）、上記ステップＳ１０２からＳ１１４までの処理を繰り返す。そうでない場合（ステップＳ２１３：Ｎｏ）には、割り当て処理を終了する。これは、無線リソースがすべて割り当てられたと判断するためである。
【００４１】
なお、合計無線リソース割当計算（上記ステップＳ２１２，Ｓ２１３）は、無線リソース割当（上記ステップＳ２０２）の前に行っても良い。その場合、合計無線リソース割当量が全無線リソース割当量より大きくなった場合、割当可能な範囲で無線リソースを割り当てて、割り当てを終了する。
【００４２】
このように、本実施形態によれば、無線リソース割当装置２０は、ある移動端末の最良なサブバンドにおける特性と全帯域における特性に基づいて、その移動端末に、最良なサブバンドのＢＲＣＨ領域の無線リソースを優先的に割り当てるか、それともＤＲＣＨ領域の無線リソースを優先的に割り当てるかを決定するので、多くの移動端末に最良なサブバンドを割り当てることができる。これにより、通信品質の向上、システム容量の増大を図ることが可能になる。
【００４３】
また、図１または図２に示す無線リソース割当装置（１０または２０）の機能を実現するためのプログラムをコンピュータ読み取り可能な記録媒体に記録して、この記録媒体に記録されたプログラムをコンピュータシステムに読み込ませ、実行することにより、無線リソースの割り当て処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４５】
以上、図面を参照してこの発明の実施形態について詳しく説明してきたが、具体的な構成は上述のものに限られることはなく、この発明の要旨を逸脱しない範囲内において様々な設計変更等をすることが可能である。
【図面の簡単な説明】
【００４６】
【図１】第１の実施形態による無線リソース割当装置の構成を示すブロック図である。
【図２】第１の本実施形態の無線リソース割当装置における処理の流れの一例を表すフローチャートである。
【図３】第２の実施形態による無線リソース割当装置の構成を示すブロック図である。
【図４】第２の本実施形態の無線リソース割当装置における処理の流れの一例を表すフローチャートである。
【図５】従来の物理無線リソース配置方法を示す概略図である。
【符号の説明】
【００４７】
１０…無線リソース割当装置  １０Ａ…割当優先度判定装置  １１…必要ＢＮ数計算部  １２…割当優先度判定部  １３…割当部  ２０…無線リソース割当装置  ２２…割当優先度判定部  ２３…割当部
【図１】
0005094481.tif 000002
【図２】
0005094481.tif 000003
【図３】
0005094481.tif 000004
【図４】
0005094481.tif 000005
【図５】
0005094481.tif 000006